(57)【要約】【課題】面接触での支持となり、摺動性能の低下が避けられない。【解決手段】  ヘッドレストホルダー１０にはその上部開口２０ｅからヘッドレストのステーが摺動可能に挿通されており、ヘッドレストホルダーの周壁に２つの貫通孔２０ｃ１、２０ｃ２が形成されている。２つの貫通孔は、上下に離反して互いに対向して設けられ、押圧片２２ｃ１、２２ｃ２が上下の貫通孔にそれぞれ嵌合され、押圧片はステー１６ａの周面を押圧する突起２２ｃ１−ａ、２２ｃ２−ａをそれぞれ有し、突起はヘッドレストホルダーと別体に成形されている。上下の押圧片の突起によって押圧されたステーは後側に倒れ込み、下の押圧片２２ｃ２に整列した位置で上部開口の上縁２０ｅ−１に押し付けられて接触し、いずれも面接触でない上部開口の上縁、上下の突起（押圧片）の三点でヘッドレストホルダー１０はステー１６ａを摺動可能に支持する。【選択図】図２
2010285131.tif 000002
【特許請求の範囲】
【請求項１】
バックフレームのガイドブラケットに装着され、上部開口からその中央孔にヘッドレストのステーが摺動可能に挿通されるヘッドレストホルダーにおいて、
上下に離反して前後方向で互いに対向した２つの貫通孔をヘッドレストホルダーの周壁に形成し、押圧片が上下の貫通孔にそれぞれ嵌合され、挿通されたステーの周面を前後方向から押圧する突起が押圧片に成形されていることを特徴とするヘッドレストホルダー。
【請求項２】
上の貫通孔は前方で、下の貫通孔は後方でヘッドレストホルダーの周壁に形成されて前後方向で互いに対向して設けられることにより、上の貫通孔に嵌合された押圧片の突起は前方から、下の貫通孔に嵌合された押圧片の突起は後方からステーの周面を押圧する請求項１記載のヘッドレストホルダー。
【請求項３】
上の貫通孔は後方で、下の貫通孔は前方でヘッドレストホルダーの周壁に形成されて前後方向で互いに対向して設けられることにより、上の貫通孔に嵌合された押圧片の突起は後方から、下の貫通孔に嵌合された押圧片の突起は前方からステーの周面を押圧する請求項１記載のヘッドレストホルダー。
【請求項４】
上下の貫通孔に嵌合される押圧片は互いに異なる外形形状に成形され、上下の貫通孔も押圧片に対応して互いに異なる孔形状に形成されている請求項２または３記載のヘッドレストホルダー。
【請求項５】
突起は対応する押圧片の先端面中央に設けられ、突起を囲んで突出する複数の脚部を押圧片は有し、上下の貫通孔は段部付の孔とされ、その段部に押圧片の脚部が係合される請求項１〜５のいずれか記載のヘッドレストホルダー。
【発明の詳細な説明】
【技術分野】
【０００１】
本発明は、後突時等の衝撃から着座者頭部を保護可能とするヘッドレストをシートバック上部に取り付けるためのヘッドレストホルダーに関する。
【背景技術】
【０００２】
自動車後退時の衝突、あるいは自動車後部への追突等のいわゆる後突衝撃が発生すると着座者の頭部はその慣性力のもとで急激に後傾しようとし、急激な後傾による着座者の頚部の損傷を防ぐために、ヘッドレストがシートバック上部に設けられている。
【０００３】
上端を水平ロッドで連結した左右一対のステーがヘッドレストから下方に伸びており、ステーはヘッドレストホルダー（ステーホルダー）を介在してシートバックのフレーム（バックフレーム）の上部シャフトに取り付けられている。
すなわち、一対の筒状のガイドブラケットがバックフレームの上部シャフトに所定距離離反して溶着され、それぞれのガイドブラケットに筒状のヘッドレストホルダーが装着され、それぞれのヘッドレストホルダーの中央孔に上部開口からヘッドレストの左右のステーが挿入されている（たとえば、特開２００３−１２７７４１号公報、特開２００３−１３５１９８号公報）。
【０００４】
ヘッドレストホルダーがガイドブラケットに固定されるのに対して、ヘッドレストのステーは、通常、その高さ位置を調整するように昇降可能にヘッドレストホルダーに支持されている。
つまり、上下方向離反した複数の係合溝がステーの周面に形成されるとともに、ヘッドレストホルダーはヘッド付形状とされ、ステーの昇降を規制するロック機構がヘッドレストホルダーのヘッドに収納され、ロック機構は水平方向に摺動してステー周面の係合溝に係合するロックプレートを有して構成されている（たとえば、特開２００８−０６１７１１号公報）。ロックプレートはコイルばねによってステー周面の係合溝に係合する方向に押圧され、係合溝に係合してステーを対応する高さにロックし（規制し）、コイルばねのばね力に抗してロックプレートを係合溝から離脱させることによってロック機構のロックが解除されて、ステーの昇降、すなわちヘッドレストの昇降が可能となっている。
【先行技術文献】
【特許文献】
【０００５】
【特許文献１】特開２００３−１２７７４１号公報
【特許文献２】特開２００３−１３５１９８号公報
【特許文献３】特開２００８−０６１７１１号公報
【発明の概要】
【発明が解決しようとする課題】
【０００６】
特開２００３−１３５１９８号公報（特許文献２）では、ヘッドレストホルダーの周壁外面をその上下方向（軸線方向）の中央部で切り落とした平坦面にして周壁を肉薄とし、２つの突起が上下に整列して離反した位置でヘッドレストホルダーの周壁の肉薄部に一体成形されている。ここで、突起は、ロックプレートの係合される係合溝と直交する方向で、ヘッドレストホルダーの内周面に上下に離反して形成されて中央孔に側方から突出している。
この構成では周壁の肉薄部が板ばね的な機能を有し、肉薄部に押圧されて上下の突起がステーに弾力的に押圧され、突起と対向する中央孔の内周面にステーを押し付けるため、隙間を残すことなくステーはヘッドレストホルダーの中央孔内を摺動し、ガタの発生が防止される。また、ステーは突起と弾力的に接触しているため、その摺動抵抗が抑制され、ステーの円滑な摺動が確保される。
【０００７】
ここで、上下に離反された２つの突起によってステーは肉薄部と逆側でヘッドレストホルダーの内面に押されて面接触しており、弾性的な押力のもとでの面接触とはいえ摺動性能の低下が避けられない。
【０００８】
ステーがその上下にわたって直線形状に形成されていれば、ステーの挿入されるヘッドレストホルダーの中央孔は、ステーの摺動を可能とする最小限の隙間を持つ大きさとすればよい。しかし、上下にわたって直線形状に形成せず、傾斜した部分、直線部分を組み合わせた形状の傾斜付のステーもあり、傾斜付のステーでは、たとえば、上下に３分割すると、概略、その上部は大きく前方に傾斜した形状に、中間部は直線形状に、下部は緩やかに前方に傾斜した形状となっている。そのため、傾斜したステーの挿入されるヘッドレストホルダーにおいては、ステーの直線部、傾斜部の双方の摺動を許容する隙間を残す形状に、つまり、比較的大きな隙間を有する形状に中央孔が形成されている。
【０００９】
しかしながら、ヘッドレストホルダーは、合成樹脂による射出成形体であるため、突起がヘッドレストホルダーと一体に成形されてヘッドレストホルダーの軸線方向（長手方向）と直交する方向で中央孔に突出する特開２００３−１３５１９８号公報の構成では、突起の高さ（突起高さ）が制限され、十分な突起高さが得られない。そして、ステーを押圧して中央孔の内周面にステーを押し付けるに必要な突起高さが得られないと、突起と対向する中央孔の内周面にステーを押し付けることができずに隙間が残されてガタの発生を防止できない。そして、大きな傾斜のついたステーについてはガタの発生を阻止することが難しい、ステーの形状が制限されるため、突起の一体成形されたヘッドレストホルダーの汎用性は限定されたものとなる。
【００１０】
なお、突起がヘッドレストホルダーと一体に成形される構成においては、突起の高さは中央孔への突出長さとなり、突起の高さと、中央孔への突出長さとは一致する。
また、突起付のヘッドレストホルダーのための金型構造は複雑化して金型が高価になるとともに、高い成形効率が得られない。
【００１１】
本発明は、ガタを発生させることなくステーの円滑な摺動を可能とした汎用性の高いヘッドレストホルダーの提供を目的としている。
【課題を解決するための手段】
【００１２】
上記目的を達成するために、請求項１に係る本発明によれば、バックフレームのガイドブラケットに装着され、上部開口からその中央孔にヘッドレストのステーが摺動可能に挿通されるヘッドレストホルダーにおいて、上下に離反して前後方向で互いに対向した２つの貫通孔をヘッドレストホルダーの周壁に形成し、押圧片が上下の貫通孔にそれぞれ嵌合され、挿通されたステーの周面を前後方向から押圧する突起が押圧片に成形されている。
請求項２に係る本発明によれば、上の貫通孔は前方で、下の貫通孔は後方でヘッドレストホルダーの周壁に形成されて前後方向で互いに対向して設けられることにより、上の貫通孔に嵌合された押圧片の突起は前方から、下の貫通孔に嵌合された押圧片の突起は後方からステーの周面を押圧している。
請求項３に係る本発明によれば、上の貫通孔は後方で、下の貫通孔は前方でヘッドレストホルダーの周壁に形成されて前後方向で互いに対向して設けられることにより、上の貫通孔に嵌合された押圧片の突起は後方から、下の貫通孔に嵌合された押圧片の突起は前方からステーの周面を押圧している。
【００１３】
請求項４に係る本発明によれば、上下の貫通孔に嵌合される押圧片は互いに異なる外形形状に成形され、上下の貫通孔も押圧片に対応して互いに異なる孔形状に形成されている。
請求項５に係る本発明によれば、突起は対応する押圧片の先端面中央に設けられ、突起を囲んで突出する複数の脚部を押圧片は有し、上下の貫通孔は段部付の孔とされ、その段部に押圧片の脚部が係合されている。
【発明の効果】
【００１４】
請求項１に係る本発明では、ステーを押圧して支持する上下の突起がヘッドレスホルダーと一体に成形されず、ヘッドレスホルダー側壁の貫通孔に嵌合されるヘッドレスホルダーと別体の押圧片に成形されている。突起がヘッドレスホルダーと別体の押圧片に成形されているため、突起高さそのものを自由に設定できる。また、押圧片の嵌合位置によって中央孔に突出する突起の高さが調整され、結局、突起の高さ、中央孔への突出長は一致せず、突起自体の高さ、押圧片の嵌合位置から、中央孔への突起の突出長さ（突出高さ）が自由に設定され、突出長さの自由度が増す。そのため、種々な形状のステーに対して隙間を残すことなく確実に押圧、支持できる汎用性の高いヘッドレストホルダーが得られる。
【００１５】
そして、上下の押圧片の突起に押されてステーは前側または後側に倒れて下の押圧片に整列した位置でヘッドレストホルダーの上部開口の上縁に押し付けられ、上部開口上縁、上下の押圧片の三点で押圧、支持され、この三点支持はいずれも面接触でないため、その摺動抵抗が抑制され、ステーは円滑に摺動できる。また、ヘッドレストホルダーの材質と無関係に押圧片、つまりは突起の材質を選択できるため、摺動性に優れた材質から突起（押圧片）を成形することによりその摺動性、支持力が調整でき、この点からもステーの円滑な摺動が可能となる。
さらに、ステーは上下で突起に押圧、支持されて前後方向に倒れて上部開口の上縁に押し付けられるため、ガタの生じる余地はなく、ガタの発生が防止される。
請求項２に係る本発明では、ステーはヘッドレストホルダーの上部開口の後側の上縁に押し付けられてガタの発生が防止される。
請求項３に係る本発明では、ステーはヘッドレストホルダーの上部開口の前側の上縁に押し付けられてガタの発生が防止される。
【００１６】
請求項４に係る本発明では、押圧片が互いに異なる外形形状に成形され、貫通孔も対応する互いに異なる孔形状であるため、形状の異なる貫通孔への押圧片の嵌合が防止され、押圧片の組付け（嵌合）が誤りなく行える。
請求項５に係る本発明では、脚部の高さ（脚部長さ）、段部の位置（段部深さ）を変えることにより突出長さを容易に調整できる。
【図面の簡単な説明】
【００１７】
【図１】本発明の一実施例に係るヘッドレストホルダーをシートバック上部に設けたシートの斜視図を示す。
【図２】（Ａ）は本発明の一実施例に係るヘッドレストホルダーの図１のＹ−Ｙ線に沿った縦断面図、（Ｂ）（Ｃ）はヘッドレストホルダーの（Ａ）のＢ−Ｂ線、Ｃ−Ｃ線に沿った横断面図を示す。
【図３】（Ａ）（Ｂ）は上の貫通孔に嵌合される押圧片の表側、裏側からの斜視図を示す。
【図４】（Ａ）（Ｂ）は下の貫通孔に嵌合される押圧片の表側、裏側からの斜視図を示す。
【図５】（Ａ）はヘッドレストホルダーにおけるステーの倒れ込みの模式図、（Ｂ）はヘッドレストホルダーの平面図を示す。
【発明を実施するための形態】
【００１８】
ヘッドレストのステーが上部開口からヘッドレストホルダーの中央孔に摺動可能に挿通されており、ヘッドレストホルダーの周壁に２つの貫通孔が形成されている。２つの貫通孔は、上下に離反して前後方向で互いに対向して設けられ、押圧片が上下の貫通孔にそれぞれ嵌合され、押圧片はステーの周面を押圧する突起をそれぞれ有しており、突起はヘッドレストホルダーと別体に成形されている。上下の押圧片の突起によって押圧されたステーは前側または後側に倒れて下の押圧片に整列した位置でヘッドレストホルダーの上部開口縁に押し付けられ、上部開口縁、上下の突起（押圧片）の三点で押圧、支持される。
【実施例】
【００１９】
以下、図面を参照しながら本発明の実施例について詳細に説明する。
図１は本発明の一実施例に係るヘッドレストホルダーをシートバック上部に設けたシートの斜視図、図２（Ａ）は本発明の一実施例に係るヘッドレストホルダーの図１のＹ−Ｙ線に沿った縦断面図、図２（Ｂ）（Ｃ）はヘッドレストホルダーの図２（Ａ）のＢ−Ｂ線、Ｃ−Ｃ線に沿った横断面図を示す。
なお、実施例における前後左右は図１の矢視方向を指し、前後はシートの前後に一致している。
【００２０】
図１に示すように、シート１０は、シートクッション１２、シートクッションの後端部に設けられたシートバック１４を備えて構成され、ヘッドレスト１６がシートバックの上部に取付けられている。また、一対の筒状のガイドブラケット（図示しない）がシートバックのフレーム（バックフレーム）の上部シャフト（図示しない）に所定距離離反して溶着されている。そして、それぞれのガイドブラケットに筒状のヘッドレストホルダー（ステーホルダー）２０（２０Ｌ、２０Ｒ）が装着され、それぞれのヘッドレストホルダーにヘッドレストの左右のステー１６ａが昇降可能に挿入されている。
【００２１】
図１に加えて図２を見るとよくわかるように、ヘッドレストホルダー２０はその上端にヘッド(大径部)２０ａを一体に持ち、左右のヘッドレストホルダーの一方のヘッドにロック機構２２が内蔵されている。実施例では、前から見て右のヘッドレストホルダー２０Ｒの右周面にロック機構２２が設けられており、上下方向に整列した位置で離反した複数の係合溝１６ａ’が、右のステー１６ａの周面に形成され、水平方向に摺動して係合溝に係合するロックプレートをロック機構は有している。
【００２２】
以下においては、図面の煩雑化を避けてロック機構のない左のヘッドレストホルダー２０Ｌについて説明するが、左右のヘッドレストホルダー２０Ｌ、２０Ｒは、ヘッド形状が異なるにすぎず、基本的な構成は共通している。
【００２３】
ヘッドレストホルダー２０がバックフレームのガイドブラケットに装着され、ヘッドレストホルダー内部にヘッドレストのステーが摺動可能に挿通される基本的な構成は周知であり（たとえば、特開２００３−１２７７４１号公報、特開２００３−１３５１９８号公報、特開２００８−０６１７１１号公報参照）、本発明においても特徴とする構成でないため、詳細な説明は省略する。
【００２４】
本発明の特徴的な構成は、ステーを押圧し支持する突起が、ヘッドレストホルダー２０と一体に成形されず、ヘッドレストホルダーと別体の押圧片に成形されている点にある。
【００２５】
図２（Ａ）〜（Ｃ）を見ながら本発明の一実施例に係るヘッドレストホルダー２０について述べると、ヘッドレストホルダー２０は、中央孔２０ｂを持つ筒状にポリプロピレン（ＰＰ）などの合成樹脂から成形され、その上端にヘッド２０ａを一体に有している。ヘッドレストホルダーの中央孔２０ｂは、ヘッドレストのステー１６ａの昇降のための摺動を確保する隙間をステーとの間に残すような大きさ（直径）に成形され、実施例では、左右の内壁を平坦面とした（横断面）形状となっている。
【００２６】
２つの貫通孔２０ｃ１、２０ｃ２が、上下方向（ヘッドレストホルダーの長手方向、軸線方向）に離反して前後方向に互いに対向してヘッドレストホルダーの周壁に形成されている。すなわち、貫通孔２０ｃ１、２０ｃ２は上下方向に互いに離反され、円周方向に１８０°離反して上の貫通孔は前側でヘッドレストホルダーの周壁に、下の貫通孔は後側でヘッドレストホルダーの周壁に設けられている。
【００２７】
ヘッドレストホルダー２０の下端には、２つの係合爪２０ｄが円周方向に１８０°離反して設けられている。この係合爪２０ｄの周りには、その下端を残してその上左右の３方向にすり割り２０ｄ１が形成されることによって弾性が付与可能とされ、バックフレーム側のホルダーガイドの対応する係合孔（図示しない）に係合される。
【００２８】
なお、係合爪２０ｄは半径方向外方に突出した大径部２０ｄ’を持ち、この大径部はホルダーガイドの中央孔内面に係合爪の弾性のもとで押圧される。
【００２９】
上下の貫通孔２０ｃ１、２０ｃ２には押圧片２２（２２ｃ１、２２ｃ２）が嵌合され、押圧片に成形された突起によってステー１６ａを摺動可能に押圧、支持している。実施例では図面の煩雑化を避けるために、傾斜のない直線形状のステー１６ａとしている。
図３（Ａ）（Ｂ）は上の貫通孔に嵌合される押圧片の表側、裏側からの斜視図、図４（Ａ）（Ｂ）は下の貫通孔に嵌合される押圧片の表側、裏側からの斜視図を示す。
【００３０】
押圧片２２ｃ１、２２ｃ２は、合成樹脂から射出成形によって成形され、左右方向でその中央に突起２２ｃ１−ａ、２２ｃ２−ａ、突起を挟んでその左右に脚部２２ｃ１−ｂ、２２ｃ２−ｂを有して形成されている。実施例では、突起２２ｃ１−ａ、２２ｃ２−ａは上下方向で半円断面形状のいわゆるかまぼこ形とされ、脚部２２ｃ１−ｂは２本脚、脚部２２ｃ２−ｂは４本脚となっている。
【００３１】
押圧片２２ｃ１の脚部２２ｃ１−ｂの係合される２つの段部が、上の貫通孔２０ｃ１の左右に離反してヘッドレストホルダー２０の周壁に形成されている。また、押圧片２２ｃ２の脚部２２ｃ２−ｂの係合される４つの段部が、下の貫通孔２０ｃ２の左右に２つずつ離反し、左右において上下に互いに離反してヘッドレストホルダー２０の周壁に形成されている。
【００３２】
押圧片２２ｃ１、２２ｃ２は、誤った組み込みを防止するように異なる形状に成形されており、実施例では、その脚部２２ｃ１−ｂ、ｂ２２ｃ２−ｂの形状を異形とし、対応する貫通孔２０ｃ１、２０ｃ２も異形の孔形状となっている。
【００３３】
すなわち、上記のように突起２２ｃ１−ａの脚部２２ｃ１−ｂを２本脚、突起２２ｃ２−ａの脚部２２ｃ２−ｂを４本脚として、左右２つずつの脚部２２ｃ２−ｂのうち、上の脚部の上面を押圧片２２ｃ２の上面と面一に、下の脚部の下面を押圧片２２ｃ２の下面と面一に形成しているのに対して、２つの脚部２２ｃ１−ｂは、押圧片２２ｃ１の上下の面と面一に形成されていない。そして、脚部２２ｃ１−ｂ、２２ｃ２−ｂの係合されるヘッドレストホルダー側の段部も対応する形状とされ、段部付の貫通孔２０ｃ１、２０ｃ２は異なる孔形状に形成されている。
なお、図２（Ｂ）において、参照符号２０ｃ１’は突起２２ｃ１−ａの脚部２２ｃ１−ｂの係合される段部を示す。
【００３４】
このように、押圧片２２ｃ１、２２ｃ２を異形状とし、押圧片の嵌合される上下の貫通孔２０ｃ１、２０ｃ２も異形状としているため、押圧片は対応する形状の貫通孔２０ｃ１、２０ｃ２にのみ嵌合可能となり、形状の異なる貫通孔への誤った組み込みが防止される。
【００３５】
その脚部がヘッドレストホルダー側の段部に係合されるまで押圧片２２ｃ１、２２ｃ２が対応する形状の貫通孔２０ｃ１、２０ｃ２に嵌合されることによってその嵌合位置が規定されて突起２２ｃ１−ａ、２２ｃ２−ａが中央孔２０ｂに突出する。ここで、突起２２ｃ１−ａ、２２ｃ２−ａが中央孔２０ｂに挿通されるステー１６ａを側方から押圧し支持するに十分な突出長さ（突起が中央孔から突出する長さ)を確保するような形状（長さ）に、押圧片２２ｃ１、２２ｃ２は形成されている。
【００３６】
なお、押圧片２２ｃ１、２２ｃ２は、外方に突出した上下方向の突部２２ｃ１−ｃ、２２ｃ２−ｃを外面に有しており、嵌合位置においてこの上下方向の突部がホルダーケースの中央孔内面に押圧される形状に押圧片は成形されている。
押圧片２２ｃ１の上下方向の突部２２ｃ１−ｃがヘッドレストホルダー２０の上部で、押圧片２２ｃ２の上下方向の突部２２ｃ２−ｃがほぼ中間部でホルダーケースの中央孔内面に押圧されるとともに、係合爪２０ｄの大径部２０ｄ’がヘッドレストホルダー２０の下部でホルダーケースの中央孔内面に弾性のもとで押圧される。そのため、ヘッドレストホルダー２０はホルダーケースにガタを生じる隙間を残すことなく装着される。
【００３７】
図５（Ａ）はヘッドレストホルダーにおけるステーの倒れ込みの模式図、図５（Ｂ）はヘッドレストホルダーの平面図を示す。
突起２２ｃ１−ａ、２２ｃ２−ａがステー１６ａの挿通路（ヘッドレストホルダーの中央孔２０ｂ）に突出しなければ、図５（Ａ）に実線で示すように、ステーは突起に押圧されず、中央孔とほぼ平行に挿通されて前後いずれの方向にも倒れ込まない。
【００３８】
しかしながら、実際には、上下の貫通孔に押圧片２２ｃ１、２２ｃ２が嵌合されて、突起２２ｃ１−ａ、２２ｃ２−ａがステー１６ａの挿通路（ヘッドレストホルダーの中央孔２０ｂ）に突出している。そのため、ヘッドレストホルダーの中央孔２０ｂに挿通されたステー１６ａは、上下に離反した２つの位置で突出する突起に上下で押圧されることによって、図５（Ａ）に二点鎖線で示すように、矢印に示す方向、つまり、上の押圧片２２ｃ１から離反する方向（下の押圧片２２ｃ２の方向、後側）に倒れ込む。この後側への倒れ込みによって、図５（Ｂ）に示すように、ステー１６ａはヘッドレストホルダーの後側の上部開口２０ｅの後側の上縁２０ｅ−１に押圧され、上下の押圧片２２ｃ１、２２ｃ２と、上部開口の後側の上縁２０ｅ−１との三点で押圧、支持される。
【００３９】
図５（Ａ）で模式的に示すように、上の押圧片の突起２２ｃ１−ａによる支持点Ｓ１、下の押圧片の突起２２ｃ２−ａによる支持点Ｓ２、上部開口の後側の上縁２０ｅ−１による支持点Ｓ３の上下に離反した三つの支持点で支持されながら、ステー１６ａは上下方向に摺動される。いいかえれば、上の突起２２ｃ１−ａによる(前側の）支持点Ｓ１と、この支持点Ｓ１と対向する位置（円周方向に１８０°離反した位置）で互いに整列して上下に離反した下の突起２２ｃ２−ａによる（後側の）支持点Ｓ２および上部開口の後側の上縁２０ｅ−１による(後側の)支持点Ｓ３で支持され、ステー１６ａは１８０°離反した三点で前後から互い違いに支持される。
【００４０】
このように、前後方向で互いに対向した押圧片の突起２２ｃ１−ａ、２２ｃ２−ａでステー１６ａを押圧して後側に倒してステーを上部開口の後側の上縁２０ｅ−１に常に押し付けているため、ステーの傾斜した部分の挿入を許容する隙間を残す形状に中央孔が形成されている場合でも、ガタの生じる余地はなく、ガタの発生が防止される。
【００４１】
実施例では、上の貫通孔２０ｃ１を前方で、下の貫通孔２０ｃ２を後方でヘッドレストホルダー２０の周壁に形成し、上の貫通孔に嵌合した押圧片の突起２２ｃ１−ａで前側から、下の貫通孔に嵌合した押圧片の突起２２ｃ２−ａで後側からステー１６ａを押圧し、ステーを後側に倒して上部開口の後側の上縁２０ｅ−１に押し付けている。
しかしながら、ステー１６ａを前後方向のいずれかに倒して、対応する方向で上部開口の上縁２０ｅ−１に押し付ければ足り、実施例とは逆に、ステーを前側に倒して上部開口の前側の上縁２０ｅ−２（図２（Ａ）参照））に押し付けてもよい。つまり、上の貫通孔２０ｃ１を後方で、下の貫通孔２０ｃ２を前方でヘッドレストホルダー２０の周壁に形成し、上の貫通孔に嵌合した押圧片の突起２２ｃ１−ａで後側から、下の貫通孔に嵌合した押圧片の突起２２ｃ２−ａで前側からステー１６ａを押圧してステーを前側に倒して上部開口の前側の上縁２０ｅ−２に押し付けてもよい。
【００４２】
突起２２ｃ１−ａ、２２ｃ２−ａがヘッドレスホルダー２０と別体の押圧片２２ｃ１、２２ｃ２に成形されているため、突起の高さ（突起高さ）そのものを自由に設定できるとともに、押圧片の嵌合位置によって中央孔に突出する突起の高さが調整される。つまり、従来のヘッドレスホルダーとの一体構造では成形が難しい高さの突起が成形可能となり、突起高さの異なる押圧片が自由に成形できる。そして、突起自体の高さ、押圧片の嵌合位置から、中央孔への突起の突出長さが自由に設定され、突出長さの自由度が増すため、種々な形状のステーに対してガタの生じる隙間を残すことなく確実に押圧、支持できる汎用性の高いヘッドレストホルダーが得られる。
【００４３】
また、突起高さの異なる突起付の押圧片２２ｃ１、２２ｃ２と交換することによって共通のヘッドレストホルダー２０においても多様なバリエーションのステー（ヘッドレスト）に容易に対応できる。
【００４４】
突起２２ｃ１−ａ、２２ｃ２−ａがヘッドレストホルダー２０と別体の押圧片２２ｃ１、２２ｃ２に成形されているため、ヘッドレストホルダーの材質と無関係に押圧片２２ｃ１、２２ｃ２、つまりは突起２２ｃ１−ａ、２２ｃ２−ａの材質を選択でき、摺動性に優れた材質から突起を成形することにより、摺動性能を向上できる。たとえば、シリコン系、モリブデン系の摺動剤を含有するポリプロピレン（ＰＰ）、ポリアセタール（ＰＯＭ）などの合成樹脂から射出成形によって突起２２ｃ１−ａ、２２ｃ２−ａ（押圧片２２ｃ１、２２ｃ２）を成形すれば、優れた摺動性能のもとでステー１６ａを円滑に摺動できる。
また、異なる材質からなる突起２２ｃ１−ａ、２２ｃ２−ａ付押圧片２２ｃ１、２２ｃ２と交換することによっても、その摺動性、支持力を調整できる。
【００４５】
突起２２ｃ１−ａ、２２ｃ２−ａがヘッドレストホルダー２０と別体の押圧片２２ｃ１、２２ｃ２に成形されて、押圧片２２ｃ１、２２ｃ２、ヘッドレストホルダー２０の金型が別物となるとはいえ、ヘッドレストホルダーの金型構造が簡単化され、突起付押圧片、ヘッドレストホルダーが高い成形効率で成形できる。
【００４６】
また、上下の押圧片２２ｃ１、２２ｃ２の先端の突起２２ｃ１−ａ、２２ｃ２−ａ、上部開口の上縁２０ｅ−１（または２０ｅ−２）の三ヶ所Ｓ１〜Ｓ３での支持はいずれも面接触でないため、その摺動抵抗が抑制され、ステーは円滑に摺動される。
【００４７】
実施例では、突起２２ｃ１−ａ、２２ｃ２−ａをかまぼこ形状としているため、支持点Ｓ１、Ｓ２での支持は点接触となり、上部開口の上縁２０ｅ−１（または２０ｅ−２）においても上縁に押し付けられほぼ点接触となり、三ヶ所で支持はいずれも点接触であるため、摺動抵抗を最小にできる。
【００４８】
突起２２ｃ１−ａ、２２ｃ２−ａは面接触しない形状（点接触の形状であることが好ましい）であれば足り、図示の形状は一例でありこれに限定されず、たとえば部分球形状としてもよい。
【００４９】
上記のように本発明によれば、ステーを押圧して支持する上下の突起がヘッドレスホルダーと一体に成形されず、ヘッドレスホルダーと別体の押圧片に成形されているため、ガタの発生が防止されて、ステーの円滑な摺動が可能となり、汎用性の高いヘッドレストホルダーが得られる。
【００５０】
上述した実施例は、この発明を説明するためのものであり、この発明を何等限定するものでなく、この発明の技術範囲内で変形、改造等の施されたものも全てこの発明に包含されることはいうまでもない。
【００５１】
たとえば、実施例では円周方向に１８０°離反した上下の２つの押圧片でステー１６ａを前後方向で支持しているとはいえ、互い違いに前後方向で支持する押圧片を２つでなく３つ以上設けてステーを支持しても基本的な技術思想は実施例と共通し、本発明の技術範囲から逸脱しない。
【産業上の利用可能性】
【００５２】
本発明のヘッドレストホルダーは、昇降可能なヘッドレスト付の車両用シートに主として応用されるとはいえ車両用シートに限定されず、昇降可能なヘッドレストの装着されたシートであれば広範囲に応用でき、たとえば、航空機、劇場、映画館などのシート、家庭用シート、マッサージシートなどにも応用できる。
【符号の説明】
【００５３】
１０  車両用シート
１２  シートクッション
１４  シートバック
１６  ヘッドレスト
１６ａ  ステー
２０（２０Ｌ、２０Ｒ）  ヘッドレストホルダー
２０ａ  ヘッド
２０ｂ  中央孔
２０ｃ１、２０ｃ２  貫通孔
２０ｃ１’  段部
２０ｄ  係合爪
２０ｅ  上部開口
２０ｅ−１、２０ｅ−２  上部開口の上縁
２２ｃ１、２２ｃ２  押圧片
２２ｃ１−ａ、２２ｃ２−ａ  突起
２２ｃ１−ｂ、２２ｃ２−ｂ  脚部
Ｓ１、Ｓ２    突起（押圧片）による支持点
Ｓ３  上部開口の上縁での支持点
【図１】
2010285131.tif 000003
【図２】
2010285131.tif 000004
【図３】
2010285131.tif 000005
【図４】
2010285131.tif 000006
【図５】
2010285131.tif 000007